(57)【特許請求の範囲】
【請求項１】
複数の自動券売機と通信可能に接続されている領収書発行機において、
入力された乗車券を発行した自動券売機を特定するデータ、及びその乗車券を特定するデータに基づいて、その自動券売機に記憶されているデータ中からその乗車券に係る発行データを抽出する抽出手段と、
抽出されたデータに基づいて、前記乗車券に係る領収書を発行する発行制御手段と、
を有することを特徴とする領収書発行機。
【発明の詳細な説明】
【０００１】
【発明の属する技術分野】
本発明は、自動券売機で乗車券を購入したときの領収書を簡単に発行できるようにした領収書発行機に関する。
【０００２】
【従来の技術】
従来、自動券売機に所定の金銭（プリペイドカード等のカード類も含む）を投入して乗車券を購入したとき、その乗車券を購入したことを証明する領収書の発行機構は設けられていなかった。
【０００３】
したがって、領収書を必要とする利用者は、購入した乗車券を窓口に提出し、係員から手書きの領収書を発行してもらうようになっていた。
【０００４】
【発明が解決しようとする課題】
上述のように、従来の自動券売機には、領収書発行機構が設けられていないので、領収書の発行は係員が手書きで発行しなければならず、係員の負担となっていた。
【０００５】
このような領収書発行負担を軽減するために、自動定期券発行機のように、領収書発行ユニットを組込むことも考えられるが、各自動券売機に領収書発行ユニットを組込むようにすると、自動券売機のコストが高くなり、特に、大型駅のように、自動券売機の設置台数が多くなると設備コストがかさむという新たな問題点が発生してしまう。
【０００６】
そこで、本発明は、上記欠点を解決するためになされたものであって、その目的は、低コストにしかも簡単に領収書を発行することのできる領収書発行機を提供することにある。
【０００７】
【課題を解決するための手段】
本発明に係る領収書発行機は、上記目的を達成するために、複数の自動券売機と通信可能に接続されている領収書発行機において、入力された乗車券を発行した自動券売機を特定するデータ、及びその乗車券を特定するデータに基づいて、その自動券売機に記憶されているデータ中からその乗車券に係る発行データを抽出する抽出手段と、抽出されたデータに基づいて、前記乗車券に係る領収書を発行する発行制御手段と、を有することを特徴としている。
【０００８】
【発明の実施の形態】
以下、本発明の実施の形態を図面に基づいて説明する。図１は、一実施の形態に係る領収書発行機の概略構成図である。
【０００９】
図中、ａ１  〜ａｎ  は、駅構内に設けられた複数の自動券売機である。各自動券売機ａ１  〜ａｎ  は、同一構成であるので、以下、自動券売機ａ１  を例に説明する。
【００１０】
この自動券売機ａ１  には、周知の自動券売機と同様に、押下された口座釦に対応した金銭が投入されたときに、その口座釦に対応した乗車券（回数券や往復乗車券等も含む）に所定の磁気データを書込むとともに、所定の印字処理を行って発券する発券処理ユニット１と、投入された金銭を検銭するとともに、必要に応じて釣銭処理する釣銭処理ユニット２とが設けられている。
【００１１】
制御部３は、上記発券処理ユニット１及び金銭処理ユニット２を統括的に制御するマイクロコンピュータを中心に形成され、通信制御部４を介して駅事務室に設けられている領収書発行機イに接続されている。
【００１２】
なお、この自動券売機ａ１  には、係員処理部等の機器も設けられているが、ここでは省略されている。
【００１３】
領収書発行機イは、テンキー又はタッチパネル式の入力手段を備えた係員操作ユニット１０と、ロール紙を所定長さに切断して領収書用紙を生成し、その用紙に発行年月日や領収金額等の所定の印字内容を印字して発行することのできる領収書発行ユニット１１とが設けられている。
【００１４】
制御部１２は、上記係員操作ユニット１０及び領収書発行ユニット１１を統括的に制御するマイクロコンピュータを中心に形成されているとともに、通信制御部１３を介して各自動券売機ａ１  〜ａｎ  と接続されている。
【００１５】
この領収書発行機イは、領収書発行機専用機として駅事務室に設置することもできるが、自動券売機や自動精算機等の駅務機器を監視する駅事務室に設置されている監視盤に領収書発行ユニット１１を付加して監視盤と兼用することもできる。
【００１６】
監視盤に領収書発行機を兼用させたときは、係員操作ユニット１０や制御部１２を監視盤のものを使用できるので、低コストに実施することができる。
【００１７】
次に、図２のフローチャートを用いて領収書発行制御動作について説明する。
【００１８】
今、自動券売機ａ１  で乗車券を購入した利用者が領収書の発行を求めて係員窓口に現れたとする。
【００１９】
係員は、利用者の所持する乗車券からその乗車券を発行した号機（この場合は自動券売機ａ１  の号機データ）、及びその乗車券の券番号のデータが係員操作ユニット１０から入力される（ステップ１００肯定。以下、ステップをＳとする。）。
【００２０】
上述の号機のデータ入力により、領収書発行機イと自動券売機ａ１との間でデータ授受が開始され（Ｓ１０２）、制御部３の図示しないメモリに記憶されている乗車券発行データ中から利用者の所持している乗車券の発行データが抽出されて領収書発行機イの制御部１２の図示しないメモリに格納される（Ｓ１０４）。
【００２１】
制御部１２のメモリに乗車券の発行データが格納されると、領収書発行ユニット１１を介して乗車券の料金や購入年月日等の領収書に必要な事項が用紙に印字されて発行される（Ｓ１０６、Ｓ１０８）。そして、その発行された領収書は、利用者へ渡される。
【００２２】
上述のように、係員は、利用者の所持する乗車券に印字されている内容から所定のデータを係員操作ユニット１０を介して入力するだけで領収書が作成されるので、係員の負担を軽減することができる。
【００２３】
なお、上述の例では、乗車券の号機及び券番号のデータを係員が手入力するようにしたが、乗車券に記録されている磁気データを読取るデータ読取器を設け、このデータ読取器で号機及び券番号のデータを自動的に入力するようにしてもよい。この場合は、領収書の発行をより簡単に行うことができる。
【００２４】
【発明の効果】
本発明に係る領収書発行機は、複数の自動券売機と通信可能に接続されている領収書発行機において、入力された乗車券を発行した自動券売機を特定するデータ、及びその乗車券を特定するデータに基づいて、その自動券売機に記憶されているデータ中からその乗車券に係る発行データを抽出する抽出手段と、抽出されたデータに基づいて、前記乗車券に係る領収書を発行する発行制御手段とからなるので、簡単に領収書を発行することができる。
【図面の簡単な説明】
【図１】本発明の一実施の形態に係る領収書発行機の概略構成図である。
【図２】領収書発行制御動作を示すフローチャートである。
【符号の説明】
イ      領収書発行機
ａ１  〜ａｎ        自動券売機
１      発券処理ユニット
２      金銭処理ユニット
３      制御部
４      通信制御部
１０      係員処理ユニット
１１      領収書発行ユニット
１２      制御部
１３      通信制御部
【図１】
0003542459.tif 000002
【図２】
0003542459.tif 000003